(57)【要約】      （修正有）【課題】メータ表示情報を撮影するカメラに大きなずれが生じた場合にカメラの撮影位置を適切に補正することができる補正装置、補正方法を提供する。【解決手段】メータ読取装置１の画像入力部１０は、カメラ３で撮影されたアナログメータ群を収集し、記憶部１１に記憶させる。処理設定部１２は、アナログメータ群のメータ毎に表示名を含んだテンプレート画像を選択して設定する。撮影位置確認部１３は、テンプレート画像を用いてアナログメータ群の撮影画像データ内に全メータが撮影されているか否かを確認する。撮影位置補正部１４は、撮影位置確認部１３の確認結果に基づきカメラ３の撮影位置を補正する。メータ読取部１５は、補正画像に基づきメータ表示情報を読み取る。読取結果伝送部１６は、読み取られたメータ表示情報をネットワーク経由で伝送する。【選択図】図３
2020052903.tif 000002
【特許請求の範囲】
【請求項１】
カメラで撮影されたメータ群の画像からメータ表示情報を読み取る際に前記カメラの撮影位置を補正する装置であって、
前記カメラで撮影された画像が入力される画像入力部と、
前記画像入力部から入力された撮影画像内に前記全メータが撮影されているか否かを確認する撮影位置確認部と、
前記撮影位置確認部にて前記全メータの撮影が確認されなければ、カメラの撮影位置を補正する撮影位置補正部と、を備え、
前記撮影位置確認部は、事前に用意された前記各メータのテンプレート画像と前記撮影画像とのパターンマッチングを実行し、メータ毎の相関値を撮影位置確認結果として出力し、
前記撮影位置補正部は、前記各相関値と事前設定の閾値とを比較し、すべての前記相関値が前記閾値より小さくなければ前記撮影画像を正常と判定する一方、
前記相関値が前記閾値よりも小さいメータがあれば前記撮影位置の異常を判定して前記撮影位置を補正する
ことを特徴とする撮影位置の補正装置。
【請求項２】
前記補正後の撮影画像を前記画像入力部から入力し、
前記撮影位置確認部にて前記補正後の撮影画像内に前記全メータが撮影されているか否かを再確認し、
前記撮影位置補正部は、前記再確認の結果として前記全メータの撮影が確認されなければ、
前記補正後の撮影画像の撮影位置を再補正することを特徴とする請求項１に記載された撮影位置の補正装置。
【請求項３】
前記撮影位置補正部は、前記メータ群の水平方向の一方側または垂直方向の一方側に配置された前記メータの前記相関値が前記閾値よりも小さければ、
前記撮影位置を前記一方側に補正することを特徴とする請求項１または２に記載された撮影位置の補正装置。
【請求項４】
前記撮影位置補正部は、二つの前記閾値（閾値１＞閾値２≠０）を用いて前記相関値を三段階で評価し、
「相関値≧閾値１」を「高」と評価し、「閾値１＞相関値≧閾値２」を「中」と評価し、「閾値２＞相関値≧０」を「低」と評価し、
すべての前記相関値の評価が「低」であれば、前記撮影画像の四隅を特徴として、それぞれの特徴が中心となるように順に撮影位置を補正し、
前記撮影位置確認部で出力された前記補正後の撮影画像の相関値を、二つの前記閾値を用いて前記三段階で再評価し、
前記再評価の結果、前記メータ群の水平方向の一方側または垂直方向の一方側の前記評価が低ければ、
前記一方側に撮影位置を補正することを特徴とする請求項２記載された撮影位置の補正装置。
【請求項５】
カメラで撮影されたメータ群の画像からメータ表示情報を読み取るにあたって、コンピュータにより前記カメラの撮影位置を補正する方法であって、
前記カメラで撮影された画像を入力する画像入力ステップと、
前記画像入力ステップで入力された撮影画像内に前記全メータが撮影されているか否かを確認する撮影位置確認ステップと、
前記撮影位置確認ステップにて前記全メータの撮影が確認されなければ、カメラの撮影位置を補正する撮影位置補正ステップと、有し、
前記撮影位置確認ステップにおいて、事前に用意された前記各メータのテンプレート画像と前記撮影画像とのパターンマッチングを実行し、メータ毎の相関値を撮影位置確認結果として出力し、
前記撮影位置補正ステップにおいて、前記各相関値と事前設定の閾値とを比較し、すべての前記相関値が前記閾値より小さくなければ前記撮影画像を正常と判定する一方、
前記相関値が前記閾値よりも小さいメータがあれば前記撮影位置の異常を判定して前記撮影位置を補正する
ことを特徴とする撮影位置の補正方法。
【請求項６】
前記画像入力ステップは、前記補正後の撮影画像を再入力するステップを有し、
前記撮影位置確認ステップは、前記補正後の撮影画像内に前記全メータが撮影されているか否かを再確認するステップを有し、
前記撮影位置補正ステップは、前記再確認の結果として前記全メータの撮影が確認されなければ、前記補正後の撮影画像の撮影位置を再補正するステップを有する
ことを特徴とする請求項５に記載された撮影位置の補正方法。
【請求項７】
前記撮影位置補正ステップにおいて、
前記メータ群の水平方向の一方側または垂直方向の一方側に配置された前記メータの前記相関値が前記閾値よりも小さければ、
前記撮影位置を前記一方側に補正することを特徴とする請求項５または６に記載された撮影位置の補正方法。
【請求項８】
前記撮影位置補正ステップにおいて、二つの前記閾値（閾値１＞閾値２≠０）を用いて前記相関値を三段階で評価し、
「相関値≧閾値１」を「高」と評価し、「閾値１＞相関値≧閾値２」を「中」と評価し、「閾値２＞相関値≧０」を「低」と評価し、
すべての前記相関値の評価が「低」であれば、前記撮影画像の四隅を特徴として、それぞれの特徴が中心となるように順に撮影位置を補正し、
前記撮影位置確認部で出力された前記補正後の撮影画像の相関値を、二つの前記閾値を用いて前記三段階で再評価し、
前記再評価の結果、前記メータ群の水平方向の一方側または垂直方向の一方側の前記評価が低ければ、
前記一方側に撮影位置を補正することを特徴とする請求項６に記載された撮影位置の補正方法。
【発明の詳細な説明】
【技術分野】
【０００１】
本発明は、例えば制御盤などアナログメータをカメラで撮影してメータ表示情報（指示値やランプの点灯状態など）を読み取る際に撮影位置を補正する技術に関する。
【背景技術】
【０００２】
周知のように電力や水処理などのインフラ設備において、回転機などの設備が正常に動作しているか否かを現場作業員が日々点検している。日々の点検作業の際は、制御盤などに設置されているアナログメータの指示値を記録し、また異常があればアナログメータの指示値を確認する。
【０００３】
このアナログメータについては、現在のところ監視制御システムに計装データとして収集する仕組みが無い場合が多い。そのため、現場の作業員が直接視認しなければならず、また新たに前記指示値を計装データとして収集するためには工事が必要となってしまう。
【０００４】
そこで、特許文献１〜４のようにアナログメータや表示ランプなどをカメラで撮影し、撮影画像の画像処理によってメータ表示情報を読み取る装置が提案されている。ここで読み取られた情報は、有線ＬＡＮや無線ＬＡＮなどの通信網を経由して監視制御システムやクラウドシステムなどで収集されている。
【先行技術文献】
【特許文献】
【０００５】
【特許文献１】特開２０００−１８２０２１
【特許文献２】特開２００６−１２０１３３
【特許文献３】特開２０１７−２０７９１０
【特許文献４】特開２０１７−１２６１８７
【非特許文献】
【０００６】
【非特許文献１】“法人向け商品  サポート  ＢＢ−ＳＣ３８４Ｂ  特長”，〔ｏｎｌｉｎｅ〕  〔平成３０年９月７日検索〕，インターネット＜URL:https://sol.panasonic.biz/security/netwkcam/lineup/sc384b.html＞
【発明の概要】
【発明が解決しようとする課題】
【０００７】
しかしながら、作業員が現場に設置したカメラに触れたことや、あるいはカメラの電源ＯＮ／ＯＦＦ時のキャリブレーションなどが原因でカメラの撮影位置がずれる場合が少なくない。
【０００８】
この場合にはメータの撮影ができず、メータ表示情報の読み取りに異常が発生するため、カメラの撮影位置を補正する必要がある。ところが、特許文献１〜４の読取装置は、撮影対象の微小な誤差（ずれ）に対しては画像処理で補正可能なものの、メータの半分以上が見切れると補正できないおそれがある。
【０００９】
本発明は、このような従来の問題を解決するためになされ、カメラの撮影位置が大きくずれてしまった場合に適切に補正し、メータ表示情報を確実に読み取ることを解決課題としている。
【課題を解決するための手段】
【００１０】
（１）本発明の一態様は、カメラで撮影されたメータ群の画像からメータ表示情報を読み取る際に前記カメラの撮影位置を補正する装置であって、
前記カメラで撮影された画像が入力される画像入力部と、
前記画像入力部から入力された撮影画像内に前記全メータが撮影されているか否かを確認する撮影位置確認部と、
前記撮影位置確認部にて前記全メータの撮影が確認されなければ、カメラの撮影位置を補正する撮影位置補正部と、を備え、
前記撮影位置確認部は、事前に用意された前記各メータのテンプレート画像と前記撮影画像とのパターンマッチングを実行し、メータ毎の相関値を撮影位置確認結果として出力し、
前記撮影位置補正部は、前記各相関値と事前設定の閾値とを比較し、すべての前記相関値が前記閾値より小さくなければ前記撮影画像を正常と判定する一方、
前記相関値が前記閾値よりも小さいメータがあれば前記撮影位置の異常を判定して前記撮影位置を補正することを特徴としている。
【００１１】
（２）本発明の他の態様は、カメラで撮影されたメータ群の画像からメータ表示情報を読み取るにあたって、コンピュータにより前記カメラの撮影位置を補正する方法であって、
前記カメラで撮影された画像を入力する画像入力ステップと、
前記画像入力ステップで入力された撮影画像内に前記全メータが撮影されているか否かを確認する撮影位置確認ステップと、
前記撮影位置確認ステップにて前記全メータの撮影が確認されなければ、カメラの撮影位置を補正する撮影位置補正ステップと、有し、
前記撮影位置確認ステップにおいて、事前に用意された前記各メータのテンプレート画像と前記撮影画像とのパターンマッチングを実行し、メータ毎の相関値を撮影位置確認結果として出力し、
前記撮影位置補正ステップにおいて、前記各相関値と事前設定の閾値とを比較し、すべての前記相関値が前記閾値より小さくなければ前記撮影画像を正常と判定する一方、
前記相関値が前記閾値よりも小さいメータがあれば前記撮影位置の異常を判定して前記撮影位置を補正することを特徴としている。
【発明の効果】
【００１２】
本発明によれば、カメラの撮影位置が大きくずれてしまった場合であっても、適切に補正されるため、メータ表示情報を確実に読み取ることができる。
【図面の簡単な説明】
【００１３】
【図１】本発明の実施形態に係る撮影位置の補正装置を構成するメータ読取装置の設置状況を示す配置図。
【図２】（ａ）はカメラを天井などに設置した状態を示す概略図、（ｂ）は回動アームを用いてカメラを設置した状態を示す概略図。
【図３】図１のメータ読取装置の構成図。
【図４】同  処理内容を示すフローチャート。
【図５】同  メータの表示名の拡大図。
【図６】（ａ）は表示名を含むテンプレート画像例、（ｂ）は表示名およびマーカ（異形状）を含むテンプレート画像例、（ｃ）は表示名およびマーカ（異色）を含むテンプレート画像例。
【図７】（ａ）は正常な撮影画像データおよび相関値の説明図、（ｂ）は実施例１の撮影画像データおよび相関値の説明図、（ｃ）は実施例２の撮影画像データおよび相関値の説明図。
【図８】（ａ）は実施例３の撮影画像データおよび相関値の説明図、（ｂ）は第１次補正後の補正データおよび相関値の説明図、（ｃ）は第２次補正後の補正データおよび相関値の説明図、（ｄ）は第３次補正後の補正データおよび相関値の説明図。
【図９】（ａ）は実施例４の撮影画像データおよび相関値の説明図、（ｂ）は第１補正後の補正データおよび相関値の説明図、（ｃ）は第２次補正後の補正データおよび相関値の説明図。
【発明を実施するための形態】
【００１４】
以下、本発明の実施形態に係る撮影位置の補正装置を説明する。この補正装置は、カメラの撮影画像からアナログメータのメータ表示情報（例えばメータの指示値やランプの点灯状態など）を読み取るメータ読取装置に内蔵され（組み込まれ）、該メータ読取装置にカメラの撮影位置を補正する機能を付加している。
【００１５】
図１中の１は、前記メータ読取装置を示している。このメータ読取装置１は、制御盤２の正面に配置されたアナログメータ群４に撮影させ、撮影された撮影画像データを収集してアナログメータ群４のメータ表示情報を読み取っている。ここではカメラ３は、画角を調整・制御できる機能を備える必要があり、例えば非特許文献１に記載されたネットワークカメラなどを使用することができる。
【００１６】
図２に基づきカメラ３の設置状況を説明する。まず、図２（ａ）に示すように、室内の天井５にボルトとナットを用いて固定し、矢印Ｘ方向から制御盤２のアナログメータ４群を撮影することができる。また、制御盤２に対向する制御盤７の平面７ａにマグネットなどでカメラ３を固定し、矢印Ｙ方向から撮影することもできる。
【００１７】
つぎに図２（ｂ）に示すように、制御盤２の天井２ａに可動アーム６の基部を設置する一方、可動アーム６の先端にカメラ３を取り付けることもできる。この場合には可動アーム６を回動させ、矢印Ｚ方向からアナログメータを撮影することができる。
【００１８】
なお、制御盤２などが設置される場所は蛍光灯などの照明が無い場合が多いことから、カメラ３の付近に照明を設置したり、対策や赤外線などを撮影できる機能を備えたカメラ３を設置してもよい。
【００１９】
また、画角や画質の関係上、精度良く読み取るため、カメラ３は可能な限りアナログメータ群４と正対させ、かつアナログメータ群４と近い位置に設置することが好ましい。
【００２０】
≪構成例≫
図３に基づき前記読取装置１の構成例を説明する。ここでは前記読取装置１は、カメラ３と有線／無線によりデータ送受信が可能に接続されているものとする。
【００２１】
具体的には前記読取装置１は、コンピュータを主体に構成され、通常のコンピュータのハードウェアリソース（例えばＣＰＵ，ＲＡＭやＲＯＭなどの主記記憶装置，ＳＳＤやＳＤカードなどの補助記憶装置等）を備える。このハードウェアリソースとソフトウェアリソースとの協働の結果、前記読取装置１は、画像入力部１０，記憶部１１，処理設定部１２，撮影位置確認部１３，撮影位置補正部１４，メータ読取部１５，読取結果伝送部１６を実装する。
【００２２】
ここでは記憶部１１は前記記憶装置に構築されている一方、前記読取装置１の補正機能は主に前記各部１２〜１４により実行され、カメラ３の撮影画像データが画像入力部１０に入力される。この入力により収集された撮影画像データが、前記記憶装置に構築された記憶部１１に保存される。
【００２３】
処理設定部１２は、記憶部１１に記憶された撮影画像データを入力とし、アナログメータ群４の個々のメータ位置を確認するために必要なメータ情報を設定し、設定されたメータ情報は記憶部１１に出力されて保存させる。
【００２４】
撮影位置確認部１３は、記憶部１１に記憶された撮影画像データおよびメータ情報を入力として画像処理を施し、アナログメータ群４のすべてのメータが撮影画像データ内に撮影されているか否かを確認する。この撮影位置の確認結果は、記憶部１１に出力されて保存される。
【００２５】
撮影位置補正部１４は、記憶部１１に記憶された撮影画像データとメータ表示情報と撮影位置の確認結果とを入力とし、撮影位置の確認結果に応じてカメラの撮影位置を補正させる。この補正は、アナログメータ群４のすべてのメータが撮影画像データ内に撮影されてない場合に実行される一方、撮影されていれば実行されない。また、補正後の撮影位置補正画像データ（以下、補正データとする。）内にすべてのメータが撮影されていなければ再補正が実行される一方、撮影されていれば補正データが記憶部１１に出力され、該撮影画像に上書き保存される。
【００２６】
メータ読取部１５は、記憶部１１に記憶された撮影画像データ（補正画像データを含む。）を入力とし、アナログメータ群４の各メータ表示情報（例えばメータの指示値やランプの点灯状態など）を読み取る。このメータ表示情報の読取結果データは、記憶部１１に出力されて保存される。
【００２７】
読取結果伝送部１６は、記憶部１１に記憶された読取結果データを入力とし、入力された読取結果データをネットワーク経由で監視制御システムやクラウドなどに伝送する。例えば読取結果伝送部１６は、有線／無線の通信デバイスで構成することができる。
【００２８】
≪処理内容≫
図４に基づき前記読取装置１の処理内容（Ｓ０１〜Ｓ０５）を説明する。ここでは図５の制御盤２のアナログメータ群４を撮影し、各メータ４ａ〜４ｄのメータ表示情報を読み取る際の処理を説明する。
【００２９】
Ｓ０１：処理が開始されると、画像入力部１０により制御盤２のアナログメータ群４の撮影画像データが収集される。ここではカメラ３から出力されたアナログメータ群４の撮影画像データが入力され、記憶部１１に保存される。以後、Ｓ０２〜Ｓ０４の処理は、記憶部１１に保存された撮影画像データに基づき実施される。
【００３０】
Ｓ０２：処理設定部１２は、入力された撮影画像データに基づきメータ情報を設定し、設定されたメータ情報を記憶部１１に出力して保存させる。
【００３１】
このメータ情報の設定に際しては、事前に用意された各メータ４ａ〜４ｄのテンプレート画像を選択する。すなわち、図５に示すように、一般的にメータなどには、何を出力しているのかを示す表示名（ネームプレート）Ｓが併せて設置されていることが多い。そこで、カメラ３の撮影位置を特定するため、各メータ４ａ〜４ｄと表示名Ｓを含んだ画像データをテンプレート画像データとする。
【００３２】
例えば図６（ａ）中のａ−１，ａ−２は、表示名Ｓを含んだテンプレート画像を示している。また、図６（ｂ）中のｂ−１，ｂ−２は、表示名Ｓとマーカ（異形状）Ｍを含んだテンプレート画像を示している。さらに図６（ｃ）中のｃ−１，ｃ−２は、表示名Ｓとマーカ（異色）Ｍを含んだテンプレート画像を示している。
【００３３】
このようなテンプレート画像データは、あらかじめ制御盤４の製造番号などをＩＤに登録されている。ここではユーザ入力の前記製造番号などをキーにアナログメータ４群の各テンプレート画像データが選択され、制御盤２のアナログメータ群４の撮影位置の確認用に設定される。
【００３４】
また、撮影した画像データ内にアナログメータ４群が含まれているか否かを判定するための閾値（テンプレート画像データと誤差の閾値など）や、テンプレート画像データ上のメータ位置などもメータ情報として設定する。なお、閾値は、メータ４ａ〜４ｄごとに設定でき、工場出荷時のデフォルト値のまま設定してもよく、ユーザ入力の値を設定してもよいものとする。
【００３５】
Ｓ０３：撮影位置確認部１３は、入力された撮影画像データおよびメータ情報に基づきアナログメータ群４のすべてのメータが撮影画像データ内に撮影されているか否かを確認する。
【００３６】
具体的には撮影画像データと各メータ４ａ〜４ｄのテンプレート画像とのパターンマッチングを実行し、パターンマッチングで算出された相関値を撮影位置確認結果として記憶部１１に出力して保存させる。このパターンマッチングは、アナログメータ群４の各メータ４ａ〜４ｄのそれぞれに対して実行し、各実行結果の集合を撮影位置確認結果とする。この撮影位置確認結果は、記憶部１１に出力されて保存される。
【００３７】
Ｓ０４，Ｓ０５：撮影位置補正部１４は、入力された撮影画像データとメータ情報と撮影位置確認結果とに基づきカメラ３の撮影位置が正常か否かを判定する（Ｓ０４）。
【００３８】
具体的には撮影位置確認結果に示されたすべての相関値が前記閾値よりも小さくなければ、カメラ３の撮影位置が正常と判定され、Ｓ０６に進む。一方、撮影位置確認結果に示されたいずれかの相関値が、前記閾値よりも小さい場合にはカメラ３の撮影位置が異常（ずれている）と判定され、カメラ３に撮影位置の補正指令が出力される。
【００３９】
この補正指令が出力された場合には、例えば非特許文献１に記載されたパン（表示可能範囲：最大３６０度）・チルト（表示可能範囲：最大１６２度）・ズーム（１８倍光学ズーム，２倍ＥＸズーム）などの画角調整機能により撮影位置の補正処理が行われる（Ｓ０５）。
【００４０】
この補正処理後に撮影した補正データが、画像入力部１０により入力され（Ｓ０１）、Ｓ０２およびＳ０３の処理を経た後にＳ０４の再判定が行われる（ただし、Ｓ０４は前回の設定を用いることができる。）。
【００４１】
その際、補正データが正常と判定されれば記録部１１に出力されてＳ０７に進む一方、異常と判定されれば補正指示が出力され、再補正を行う（Ｓ０５）。このＳ０１〜Ｓ０５の処理を正常と判定されるまで繰り返す。
【００４２】
Ｓ０６，Ｓ０７：メータ読取部１５は、Ｓ０４の判定が正常の撮影画像データ（補正データを含む。）に基づき各メータ４ａ〜４ｄのメータ表示情報の読み取りを実行する（Ｓ０６）。このメータ表示情報の読み取りには、例えば特許文献４の方法を用いることができる。
【００４３】
なお、読取結果伝送部１６は、Ｓ０６の読み取り結果を監視制御システムやクラウドなどに伝送するために、メータ読取結果の伝送処理を実行する（Ｓ０７）。
【００４４】
≪実施例≫
以下、実施例１〜４に基づき前記読取装置１による撮影画像データの補正処理を説明する。この実施例１，２は、アナログメータ群（横一列）４の一部が見切れている場合の補正処理を示している。また、実施例３は、同アナログメータ群４の全部が見切れている場合の補正処理を示している。さらに実施例４は、アナログメータ群（３行×３列）４の一部が見切れている場合の補正処理を示している。
【００４５】
（１）実施例１
図７（ａ）（ｂ）に基づき実施例１を説明する。この図７（ａ）は正常判定された撮影画像データと相関値の評価とを示し、図７（ｂ）は実施例１の撮影画像と相関値の評価とを示し、相関値表Ｅ中のメータ１〜４はアナログメータ群４のメータ４ａ〜４ｄを示している。
【００４６】
この相関値表Ｅは、各メータ１〜４の相関値を二つの閾値１，２（閾値１＞閾値２≠０）を用いて比較した結果を示し、各メータ１〜４の相関値を三段階で評価している。この閾値１，２は、経験則に基づき定められた値が好ましく、例えば「閾値１＝０．７〜０．８」程度・「閾値２＝０．３〜０．５」程度を目安に値を定めることができる。
【００４７】
具体的には前記相関値表Ｅは、「相関値≧閾値１」を「高」と評価し、「閾値１＞相関値≧閾値２」を「中」と評価し、「閾値２＞相関値≧０」を「低」と評価している（実施例２〜４も同じ評価とする。）。
【００４８】
図７（ａ）の撮影画像データは、メータ１〜４のすべての相関値が「高」と評価されているため、Ｓ０４の処理時にカメラ３の撮影位置が正常と判定され（Ｓ０４）、補正処理が行われない。
【００４９】
一方、図７（ｂ）の撮影画像データは、メータ３，４の相関値が「高」と評価されているものの、メータ２の相関値が「中」と評価され、かつメータ１の相関値が「低」と評価されている。したがって、図７（ｂ）の撮影画像データは、Ｓ０４の処理時にカメラ３の撮影位置が異常（ずれている）と判定される。
【００５０】
このとき図７（ｂ）の撮影画像データは、前記相関値の評価によればメータ１〜４群の一部が見切れた状態、即ちメータ１が完全に見切れ、メータ２の一部が見切れた状態と想定される。
【００５１】
したがって、カメラ３を相関値の評価が低い水平方向、即ち矢印Ｌ方向に補正する補正指令が出力され、該補正指令に応じた補正処理が行われる（Ｓ０５）。この場合の各メータ１〜４の位置はＳ０２で設定されたテンプレート画像上のメータ位置を参照すればよく、該メータ位置に応じた長さ分だけ矢印Ｌ方向に補正される。
【００５２】
その結果、実施例１の補正処理によれば、アナログメータ群４の水平方向の一部が見切れた状態、例えば水平方向の一方側のメータが完全に見切れた状態／一部のメータの水平方向の大半が見切れた状態であっても、カメラ３が適切な撮影位置に自動的に補正され、この点でメータ表示情報を確実に読み取ることが可能となる。
【００５３】
（２）実施例２
図７（ｃ）に基づき実施例２を説明する。この図７（ｃ）の撮影画像データは、メータ１〜２のすべての相関値が「中」と評価されているため、Ｓ０４の処理時にカメラ３の撮影位置が異常と判定される。
【００５４】
また、前記相関値の評価によれば、図７（ｃ）の撮影画像データは、各メータ１〜４の垂直方向の上下の一方が見切れている状態と想定される。したがって、カメラ３の撮影位置を垂直方向に沿って上下に補正する補正指示が順に出力される。この上下方向の補正を実施する順番は、事前に定めておくものとする。
【００５５】
ここでは最初にカメラ３の撮影位置を垂直方向に沿って矢印Ｕ方向（上方向）に補正する補正指示が出力されるものとする。この補正指令に応じて第１次補正が行われ（Ｓ０５）、第１次補正後の補正データが画像入力部１０により入力される。
【００５６】
この補正データの再判定（Ｓ０４）は、異常（すべての相関値の評価＝中ｏｒ低）となるため、続いてカメラ３の撮影位置を垂直方向に沿って矢印Ｄ方向（下方向）に補正する補正指示が出力される。
【００５７】
この補正指令に応じて第２次補正が行われ（Ｓ０５）、該第２次補正後の補正データが画像入力部１０により入力される。この補正データの再判定（Ｓ０４）は正常（すべての相関値の評価＝「高」）となるため、その後にＳ０６の読み取り処理が実行される。なお、撮影位置を調整する際の補正量は、実施例１と同様にテンプレート画像上のメータ位置を参照すればよい。
【００５８】
このように実施例２の補正処理によれば、アナログメータ群４の垂直方向の一部が見切れた状態の場合、即ち全メータ４ａ〜４ｃの上下の一方がそれぞれ見切れた場合であっても、カメラ３を適切な撮影位置に自動的に補正することが可能となる。
【００５９】
（３）実施例３
図８に基づき実施例３を説明する。この図８（ａ）は、撮影位置Ｆの撮影画像データおよび相関値の評価を示している。この撮影画像データは、メータ１〜４のすべての相関値が「低」と評価され、Ｓ０４の処理時にカメラ３の撮影位置が異常と判定される。また、メータ１〜４（４ａ〜４ｄ）のすべてが写っていないため、どの方向にずれているのか不明な状態となっている。
【００６０】
そこで、撮影位置Ｆの周辺にメータ１〜４が存在するか否かを補正により探索する。ここでは撮影位置Ｆの四隅ｆ１〜ｆ４を特徴部分とし、各特徴部分ｆ１〜ｆ４を中心にする撮影位置に順に補正する。このとき評価の高くなる撮影位置を探索し、最終的には実施例１，２と同様な補正を実行することで撮影位置の補正を完了させる。以下、詳細を説明する。
【００６１】
まず、図８（ｂ）に示すように、特徴部分ｆ１を中心とする撮影位置Ｆ１に補正する補正指令がカメラ３に出力される。この補正指令に基づき第１次補正が行われ（Ｓ０５）、撮影位置Ｆ１の補正データについて相関値が再計算される。この再結果１によれば、すべての相関値が「低」と評価され、撮影位置Ｆ１も異常と判定される（Ｓ０４）。
【００６２】
つぎに図８（ｃ）に示すように、特徴部分ｆ２を中心とする撮影位置Ｆ２に補正する補正指令が出力される。この補正指令に基づき第２次補正が行われ（Ｓ０５）、撮影位置Ｆ２の補正データについて相関値が再計算される。この再計算結果２によれば、メータ１，２の相関値が「高」と評価されているものの、メータ３の相関値が「中」と評価され、かつメータ４の相関値が「低」と評価されていることから、撮影位置Ｆ２も異常と判定される（Ｓ０４）。
【００６３】
もっとも、前述した再計算結果２の評価によれば、撮影位置Ｆ２の補正データは、メータ１〜４群の一部が見切れた状態、即ちメータ４が完全に見切れ、メータ３の一部が見切れた状態と想定される。
【００６４】
したがって、カメラ３を相関値の低い方向、即ち矢印Ｒ方向に補正する補正指令が出力され、該補正指令に基づき撮影位置Ｆ３への第３次補正が行われる（Ｓ０５）。この第３次補正後の補正データは、図８（ｄ）の再計算結果３によれば、すべての相関値が「高」と評価されるため、正常と判定され（Ｓ０４）、Ｓ０７の処理に移行する。
【００６５】
そうすると実施例３の補正処理によれば、アナログメータ群４の一部が見切れた場合だけでなく、その全部が見切れた場合であっても、カメラ３を適切な撮影位置に自動的に補正することが可能となる。
【００６６】
（４）実施例４
図９に基づき実施例４を説明する。ここでは制御盤２の正面には、メータ４ａ〜４ｉを「３行×３列」に配列したアナログメータ群４が配置されている。また、相関値表Ｅのメータ１〜９は、アナログメータ群４のメータ４ａ〜４ｉを示している。
【００６７】
図９（ａ）は、撮影位置Ｆ１１の撮影画像データおよび相関値の評価を示している。この撮影画像データは、メータ７の相関値が「高」と評価されているものの、メータ４，５，８の相関値が「中」と評価され、かつメータ１〜３，６，９の相関値が「低」と評価されている。
【００６８】
したがって、撮影位置Ｆ１１の撮影画像データは、アナログメータ４群の一部が見切れた状態と想定され、Ｓ０４の処理時にカメラ３の撮影位置が異常と判定され、補正指令が出力される。
【００６９】
この場合にはカメラ３を相関値の低い方向に補正すればよく、水平方向（矢印Ｒ方向）と垂直方向（矢印Ｕ方向）の二段階の補正が行われる。この水平方向の補正と垂直方向の補正の順番は事前に定めておくものとする。
【００７０】
ここでは最初に撮影位置Ｆ１１を矢印Ｒ方向に補正する補正指示が出力され、第１次補正が行われるものとする（Ｓ０５）。この第１次補正後は、図９（ｂ）に示すように、撮影位置Ｆ１２の補正データがカメラ３で撮影され、該補正データにＳ０４の判定が行われる。
【００７１】
このとき撮影位置Ｆ１２の補正データは、相関値表Ｅに示すように、メータ７〜９の相関値が「高」と評価され、メータ４〜６の相関値が「中」と評価され、メータ１〜３の相関値が「低」と評価されている。
【００７２】
この評価によれば、撮影位置Ｆ１２の補正データは、Ｓ０４の処理時に異常と判定されるものの、実施例２とは逆に上方向に移動させればよく、続いて撮影位置を矢印Ｕ方向（上方向）に補正する補正指示が出力され、第２次補正が行われる（Ｓ０５）。
【００７３】
すなわち、図９（ｃ）に示すように、撮影位置Ｆ１３の補正データがカメラ３で撮影され、その後に該補正データについてＳ０４の判定が行われる。このとき撮影位置Ｆ１３の補正データは、相関値表Ｅに示すように、すべての相関値が「高」と評価されているため、正常と判定され（Ｓ０４）、Ｓ０７の処理に移行する。
【００７４】
このように実施例４の補正処理によれば、アナログメータ群（横一列）４が見切れている場合だけでなく、アナログメータ群（３行×３列）が見切れている場合にも、カメラ３を適切な撮影位置に自動的に補正することが可能となる。
【００７５】
なお、本発明は上記実施形態に限定されるものではなく、各請求項に記載された範囲内で変形して実施することができる。例えばカメラ３の設置状況は、図２（ａ）（ｂ）に限定されず、制御盤２，７間に配置された設置台上に一対のカメラ３を設置してもよい。この場合に一方のカメラ３は制御盤２のアナログメータ群４を撮影し、他方のカメラ３は制御盤７のアナログメータ群４を撮影することができる。
【符号の説明】
【００７６】
１…メータ読取装置（撮影位置の補正装置）
２，７…制御盤
２ａ，７ａ…平面
３…カメラ
４…アナログメータ群
４ａ〜４ｉ…メータ
５…天井
１０…画像入力部
１１…記憶部
１２…処理設定部
１３…撮影位置確認部
１４…撮影位置補正部
１５…メータ読取部
１６…読取結果伝送部
【図１】
2020052903.tif 000003
【図２】
2020052903.tif 000004
【図３】
2020052903.tif 000005
【図４】
2020052903.tif 000006
【図５】
2020052903.tif 000007
【図６】
2020052903.tif 000008
【図７】
2020052903.tif 000009
【図８】
2020052903.tif 000010
【図９】
2020052903.tif 000011